(57)【要約】  本発明は、捕虫トラップ（１０）に関し、より詳細には、微生物の破壊を容易にし、それによって、臭気に対処し、かつ病原菌の拡散を緩和するように設計された捕虫トラップに関する。トラップ（１０）は、ａ．筐体（１２）と、ｂ．カバー（１４）と、ｃ．１つまたは複数の誘虫灯（１６）と、ｄ．虫捕獲手段（１８）とを備え、空中浮遊病原体を破壊することが可能な、放射線を発するＵＶＣランプ（またはその他の手段）をさらに備える。虫誘引ランプ（１６）は空気を加熱し、カバー内のルーバ状の開口部（２６）およびトラップの頂部（２８）の開口部（３０）を設けた結果、加熱された空気が対流して、ＵＶＣランプを横切って循環し、ＵＶＣランプのところで微生物が殺される。【選択図】図１
2013545488.tif 000002
【特許請求の範囲】
【請求項１】
虫を捕獲するためのトラップ（１０）であって、
ａ．筐体（１２）と、
ｂ．カバー（１４）と、
ｃ．１つまたは複数の誘虫灯（１６）と、
ｄ．虫捕獲手段（１８）と
を備え、
空中浮遊病原体を破壊することが可能な手段（２０）をさらに備え、前記手段（２０）は前記トラップの頂部（２８）側に位置決めされ、少なくとも１つの誘虫灯が、空気流が前記底部から前記空中浮遊病原体を破壊することが可能な手段（２０）に向かって発生し、前記空中浮遊病原体を破壊することが可能な手段（２０）において空気を処理または殺菌して、対流によって循環する空気ストリーム内で捕捉した空中浮遊病原体を破壊するように前記トラップの底部に設置されることを特徴とする、トラップ（１０）。
【請求項２】
前記空中浮遊病原体を破壊することが可能な手段（２０）はＵＶＣ放射を発生させる、請求項１に記載の虫を捕獲するためのトラップ（１０）。
【請求項３】
前記空中浮遊病原体を破壊することが可能な手段（２０）は１つまたは複数のＵＶＣランプを備え、前記トラップは、見えないように前記ランプを遮蔽するＵＶＣ防護衝立（３２）をさらに備えた、請求項１または２に記載の虫を捕獲するためのトラップ（１０）。
【請求項４】
前記空中浮遊病原体を破壊することが可能な手段（２０）は、前記トラップ中を循環する空気が前記空中浮遊病原体を破壊することが可能な手段（２０）を通過または横断するように前記トラップ内に位置決めされた、請求項１乃至３のいずれか１項に記載の虫を捕獲するためのトラップ（１０）。
【請求項５】
前記１つまたは複数のランプは、対流の結果循環する空気の実質的にすべてが前記ＵＶＣランプからの放射に確実にさらされるように前記虫捕獲手段（１８）の全幅を実質的に横切って側方に位置決めされた、請求項３に記載の虫を捕獲するためのトラップ（１０）。
【請求項６】
前記ＵＶＣランプは、前記虫捕獲手段（１８）の大部分を横切るまたはその上を通過した空気に作用するように前記トラップの前記頂部（２８）の方へ位置決めされた、請求項３に記載の虫を捕獲するためのトラップ（１０）。
【請求項７】
前記虫捕獲手段は、前記筐体（１２）内に位置決めされた接着板（１８ａ）を備えた、請求項１乃至６のいずれか１項に記載の虫を捕獲するためのトラップ（１０）。
【請求項８】
前記カバーは、虫が前記トラップに入ることを可能にする複数の開口部（２６）を備えた、請求項１乃至７のいずれか１項に記載の虫を捕獲するためのトラップ（１０）。
【請求項９】
前記開口部は、前記カバーを横に横断する細長い開口部である、請求項８に記載の虫を捕獲するためのトラップ（１０）。
【請求項１０】
前記開口部は、前記虫捕獲手段（１８）を横切る空気の循環を促進する、請求項８または９に記載の虫を捕獲するためのトラップ（１０）。
【請求項１１】
空気の流れの制御を促進するための大きさを有する開口部（３０）を前記トラップの前記頂部（２８）にさらに備えた、請求項１乃至１０のいずれか１項に記載の虫を捕獲するためのトラップ（１０）。
【請求項１２】
前記カバーは半透明材料または不透明材料から作製された、請求項１乃至１１のいずれか１項に記載の虫を捕獲するためのトラップ（１０）。
【請求項１３】
光反射器（２４）をさらに備えた、請求項１乃至１２のいずれか１項に記載の虫を捕獲するためのトラップ（１０）。
【請求項１４】
蛍光灯用高周波電子安定器をさらに備えた、請求項１乃至１３のいずれか１項に記載の虫を捕獲するためのトラップ（１０）。
【請求項１５】
前記誘虫灯（１６）を支持し、後部フレーム（１２’’）に蝶番（２２）で取り付けられた外周フレーム（１２’）と、それぞれ前記灯およびそれらの電気用取り付け部品を水の侵入から密閉可能に保護する遮蔽物（３４）のうちの１つまたは複数をさらに備えた、請求項１乃至１４のいずれか１項に記載の虫を捕獲するためのトラップ（１０）。
【発明の詳細な説明】
【技術分野】
【０００１】
本発明は、捕虫トラップに関し、より詳細には、病原体からの保護をさらに提供するように設計された捕虫トラップに関する。
【背景技術】
【０００２】
様々なタイプの捕虫トラップがよく知られている。特に一般的なトラップタイプ、具体的には飛ぶ虫のためのトラップタイプは、たとえば、ＵＶ光源等の虫誘引手段と、筐体中に収容された粘着性のボードまたは紙等の捕虫トラッピング手段とを備える。飛ぶ虫は、トラップに誘引され、開口部を通って筐体に入り、トラッピング手段で捕捉される。
【０００３】
トラップは、多くの場合、台所および飲食店など、食物を扱う領域に取り付けられる。残念なことに、捕獲された虫は死に、腐敗し、したがって、臭気の源となることがあり、病原菌を拡散させる可能性がありうる。
【０００４】
日本の２件の特許公報では、空気殺菌の問題に対処する捕虫トラップが開示されている。
特開平１１−１５５４５５号公報には、虫の死骸および遺骸を容易に処分することを可能にするＵＶ殺虫用具が開示されている。この公報では、その使用法すなわち捕虫用ランプの下方で殺虫用具の下部に付着させた殺菌ランプが開示されている。
【０００５】
特開平１０−１４６１４６号公報は、関連性の最も高い従来技術であると考えられる。この公報では、虫を高電圧電極と接触させることによって殺虫し、空気中に浮遊する細菌を殺菌線により殺菌する、殺虫殺菌作用を目的とする方法および装置が開示されている。実施形態１のデバイスは立方形であり、１対の殺菌ランプ（４）を用いて、高電圧電極（２）の外側上方領域に設置された照明ランプから通過する空気を処理する。遮板（８）は、デバイスの頂部に設けた空気の通気溝（６）を通過する空気の照射を制限する。第２の実施形態（図３および４）では、環状のランプが使われている。
【発明の概要】
【発明が解決しようとする課題】
【０００６】
本発明の目的は、微生物の破壊を容易にし、それによって、虫捕獲手段を使うトラップ内の臭気に対処し、かつ病原菌の拡散を緩和する１つまたは複数のトラップを提供することである。
【０００７】
この点に関して、虫捕獲手段に対する誘虫灯およびＵＶランプの構成および位置決めならびに空気をつかまえて循環させる方策は、有効な作用の助けとなる。
【課題を解決するための手段】
【０００８】
本発明によれば、
ａ．筐体（１２）と、
ｂ．カバー（１４）と、
ｃ．１つまたは複数の誘虫灯（１６）と、
ｄ．虫捕獲手段（１８）と
を備え、
前記トラップが、空中浮遊病原体（ａｉｒ−ｂｏｒｎｅ  ｐａｔｈｏｇｅｎ）を破壊することが可能な手段（２０）をさらに備え、前記手段（２０）が前記トラップの頂部（２８）の方へ位置決めされ、少なくとも１つの誘虫灯が、空気流が前記底部から前記空中浮遊病原体を破壊することが可能な手段（２０）に向かって発生し、前記空中浮遊病原体を破壊することが可能な手段（２０）において空気流を処理または殺菌して、対流によって循環する空気ストリーム内で捕捉した空中浮遊病原体を破壊するように前記トラップの底部に設置されることを特徴とする、虫を捕獲するためのトラップ（１０）が提供される。
【０００９】
好ましくは、空中浮遊病原体を破壊することが可能な手段は、ＵＶＣ放射を発生させる手段であるが、フィルタなどの他の手段を使用してもよい。
好ましくは、ＵＶＣ放射源は１つまたは複数のＵＶＣランプである。健康および安全上の要件を満たすために、このようなランプは、ＵＶＣ防護衝立（ｐｒｏｔｅｃｔｉｖｅ  ｓｃｒｅｅｎ）に取り付けられる。
【００１０】
ＵＶＣランプは、トラップ中を循環する空気がＵＶＣランプを横切るようにトラップ内に位置決めされる。一実施形態では、単一のランプが、対流の結果循環する空気の実質的にすべてがＵＶＣランプからの放射に確実にさらされるように虫捕獲手段の全幅を実質的に横切って側方に位置決めされる。あるいは、ＵＶＣランプを垂直方向に位置決めし、空気がランプの全長に沿って流れるので空気との接触時間を確実に延長することができる。
【００１１】
第１の実施形態では、単一のＵＶＣランプは、虫捕獲手段の大部分を横切るか、またはその上を通過した空気に作用するようにトラップの頂部の方へ位置決めされる。
トラップは、１つまたは複数の接着板を備えることができる。好ましい一実施形態では、トラップは、虫誘引灯の後ろの後部筐体上に位置決めされた第１の接着板と、落下する虫を捕獲するために下方に位置決めされた第２の接着板とを備える。
【００１２】
好ましい一実施形態では、カバーは、虫がトラップに入ることを可能にする複数の開口部を備える。これらの開口部は、最も好ましくは、カバーを横に横断する細長い開口部である。このような構成は、角度の付いたブレードを任意選択で有し、虫捕獲手段を横切る空気の循環を促進する助けとなる。
【００１３】
トラップは、一定の大きさを有する開口部を頂部にさらに備え、ランプによって発生する熱が逃げるのを可能にすることができる。この開口部は、空気流を制御する助けとなるために使用することもできる。
【００１４】
好ましくは、カバーは、半透明材料または不透明材料から作製される。
好ましくは、トラップは、ランプの後ろに光反射器を備える。
ＰＣＴ／ＧＢ２００９／００１０９７と同様に、トラップは、蛍光灯用高周波電子安定器や、関係する電気用取り付け部品に灯が接続された位置で水の侵入から電気器具を密閉可能に保護する遮蔽物などの、同特許で開示される特徴から恩恵を得ることができる。
【００１５】
後部筐体から揺動できる別個の外周フレーム上に灯を支持することによって、灯と虫捕獲手段の両方へのアクセスを容易にすることができる。具体的には、虫捕捉手段の装着を可能にするためにトラップの上方に十分な隙間を設けるようにトラップを取り付けるときの要件を避ける。外周フレームは、水の侵入を防止するように後部筐体と連通するダクト構造またはチャネルを備える。これらのチャネルを通して電気配線を設置し、次に、チャネルを適切に密閉する。
【００１６】
好ましくは、後部筐体は、蛍光灯用高周波電子安定器を受けることもできるように形成される。このような安定器は、炭素排出量が少なく（ｃａｒｂｏｎ  ｆｒｉｅｎｄｌｙ）、灯の点灯時のちらつきをなくし、より高いＵＶ出力を提供し、起動装置を使用する必要性をなくす。
【００１７】
後部筐体は、たとえば、電気ＩＥＣソケット、ヒートシンク、取り付け手段、通気口、およびケーブル収容具のうちの１つまたは複数を備えるかまたはそれらの装着を可能にするように設計される。
【００１８】
好ましくは、カバーは、半透明であり、ＥＰ１４５７１１１に記載のようにトラップからのＵＶ放射を最大にするのを助ける最も内側の面を備える。
より好ましくは、灯がＥＰ０９４７１３４に記載されているように、カバーを通して容易に見えることのないように確実に適合される。このために、特に好ましい実施形態では、カバーは、後部筐体の面に対して実質的に垂直に見るときに灯が見えるのを防止するような角度を付けた開口部を備える。より好ましい配置は、開口部がそれぞれ下方向および上方向の屈曲をもたらすように中心点に関して対をなす配置である。このような配置は、トラップの底部で空気を吸引する助けとなる。
【００１９】
本発明の種々の態様を、以下の図面を参照して例によってさらに説明する。
【図面の簡単な説明】
【００２０】
【図１】カバーを取り外し、ＵＶＣ遮蔽物を移動させた、本発明による捕虫トラップの斜視図である。
【図２】図示のカバーを筐体から移動させて示し、ＵＶＣランプおよびカバーを取り外した、本発明による捕虫トラップの斜視図である。
【図３】虫捕獲手段を示すために蝶番付き筐体（１）を開いた、捕虫トラップの斜視図である。
【図４】ＵＶランプを取り付けた捕虫トラップと取り付けていない捕虫トラップによる、大気中に存在するクロコウジカビ（Ａｓｐｅｒｇｉｌｌｕｓ  ｎｉｇｅｒ）の数を経時的に示すグラフである。
【図５】ＵＶランプを取り付けた捕虫トラップと取り付けていない捕虫トラップによる、大気中に存在するＢ．ｃｉｒｃｕｌａｎｓの数を経時的に示すグラフである。
【発明を実施するための形態】
【００２１】
図を参照すると、本発明による捕虫トラップ（１０）は、５つの基本的構成要素、すなわち
・筐体（１２）と、
・カバー（１４）と、
・１つまたは複数の誘虫灯（１６ａ、１６ｂ、１６ｃ）と、
・虫捕獲手段（１８ａ、１８ｂ）と
・空中浮遊病原体を破壊するための手段（２０）と
を備える。
【００２２】
例示的な実施形態では、フレーム（１２）は、後部フレーム（１２’’）に蝶番で取り付けられた外周フレーム（１２’）を備える。このようなフレームを備えることによって、ＰＣＴ／ＧＢ２００９／００１０９７に開示されているアクセスしやすくする方策で誘虫灯を移動させることが可能になる。外周フレーム（１２’）は、図３に最も良く示されており、上部フレーム部材（１２ａ）と、下部フレーム部材（１２ｂ）と、２つの側方部材（１２ｃ、１２ｄ）とを備える。外周フレーム（１２’）は、揺動機構（２２）を介して後部フレーム（１２’’）に、揺動式、回動式、または蝶番式に取り付けられる。
【００２３】
複数の１５Ｗまたは２５ＷのＵＶ灯（１６）は、例では３本示されており、対をなした電気用取り付け部品および配線に接続され、配線はチャネルまたはコンジットの中を通る。このチャネルまたはコンジットは、ゴムガスケットまたはシリコンガスケットによって密封され、帯状プレートによって囲まれ、したがって、ＰＣＴ／ＧＢ２００９／００１０９７に開示されている方策で成形プラスチック製フレームに剛性を与える。
【００２４】
各灯（１６ａ、１６ｂ、１６ｃ）の背後には、止め具によって所定の位置に保持される反射器（２４ａ、２４ｂ、２４ｃ）が設けられ、この止め具があることによって、反射器はばね式に取り付けられ、それにより、清掃のために取り外すことが容易になる。虫捕獲手段（１８ａ、１８ｂ）は、後部接着板（１８ａ）および基部接着板（１８ｂ）の形をとり、後部フレーム（１２’’）と外周筐体（１２’）の間に容易に取り付けることができる。
【００２５】
カバー（１４）は、半透明材料から作製され、ＥＰ１４５７１１１に記載されているようにＵＶ光の透過を最大化するように成形または粗面化を施した最も内側の面を有する。虫の侵入を可能にする開口部（２６）は、図示のように単純な穴とすることができ、ルーバを付けることができ、後部筐体（１２ａ）の標準的な面に対して実質的に垂直に見るときに灯（１６）が見えるのを防止するような角度を付けることができる。トラップの快適な外観を維持する一般的な原理はＥＰ０９４７１３４に記載されているが、ルーバの使用は、この点に関するさらなる改良点である。具体的には、ルーバ状の開口部（２６）は、それぞれ３０°から６０°の間の下方向および上方向の屈曲をもたらすように中心軸（ｘ−ｘ）に関して対をなす。穴は、平面状であろうとルーバ状であろうと、トラップ内での空気流を促進する助けとなり、灯（１６）によって空気を加熱すると、対流により空気が上昇する。したがって、基部から基部接着板（１８ｂ）の上を通り後部接着板（１８ａ）を横切ってＵＶＣランプ（２０）の方へ向かう空気流が生じ、ＵＶＣランプ（２０）において空気流を処理または殺菌して、対流によって循環する空気ストリーム内で捕捉した空中浮遊病原体を破壊する。ＵＶＣランプは、その前方に取り付けられた安全衝立（ｓａｆｅｔｙ  ｓｃｒｅｅｎ）（３２）に結び付けられている。図１では、わかりやすくするため、安全衝立（３２）を移動させて示す。
【００２６】
トラップの頂部（２８）には、一定の大きさに設定された開口部（３０）があり、暖かい空気が逃げるのを可能にする。これは、空中浮遊病原体を破壊するのに十分な期間ＵＶＣランプ（２０）を空流が横切る助けとなる。空気とＵＶＣランプの接触時間を増加させるために、１つのランプ（または、複数のランプ）を異なる方向に、たとえば横方向（横断する）ではなく長手方向に（頂部から底部に）向け、それにより、空気流がトラップの底部から頂部までランプを横断するので、接触時間を増加させることができることが当業者には理解されよう。
【００２７】
ＰＣＴ／ＧＢ２００９／００１０９７に記載されるように、トラップは、同公報に記載された特徴および利点の多くを有し、したがって、本明細書ではそれらについて詳しく開示しない。したがって、トラップはジェット洗浄に（ＩＰ６５要件に）適しており、遮蔽物（３４）は、電気用取り付け部品に接続された位置で灯のまわりに取り付けられる。このように、２つの単一の遮蔽物（３４）を取り外して、複数の灯にアクセスすることができる。類似の遮蔽物をＵＶＣランプのまわりで使用することができる。
【００２８】
例
トラップ配置の有効性を検査するために、図１〜３を参照して説明したトラップを、以下で説明する試験に供し、ＵＶランプをトラップに組み込むことによって、ハエの死骸に由来するいずれかの微生物が部屋の大気を汚染することが防止されるかどうかを判定した。
【００２９】
２つの微生物源を用いた。第１の試験では、トラップの底部に置いた寒天平板上でクロコウジカビの真菌叢を増殖させた。これによって、空中浮遊胞子の発生源が一貫して豊富に提供されると予想された。第２の試験は、トラップの底部でバシラスサーキュランス（Ｂａｃｉｌｌｕｓ  ｃｉｒｃｕｌａｎｓ）（細菌）培養液を噴霧した３００匹の死んだイエバエのある場所を必要とした。
【００３０】
各試験では、２５ｍ２の通気空間における真菌汚染または細菌汚染の程度を４８時間のサンプリング時間にわたって４時間間隔で測定することが必要であった。対照トラップは白色光源を有したが、実（ａｃｔｉｖｅ）トラップはＵＶ源を使った。
【００３１】
結果
それぞれの実験の結果を表１および表２に示し、これらを図４および５にグラフで示す。
【００３２】
結論
表およびグラフに示した結果から、ＵＶ放射によって真菌排出（ｅｍｉｓｓｉｏｎ）が９５％（表１および図４）、細菌排出が６５％（表２および図５）減少したことが示される。
【００３３】
【表１】
2013545488.tif 000003
【００３４】
【表２】
2013545488.tif 000004
【図１】
2013545488.tif 000005
【図２】
2013545488.tif 000006
【図３】
2013545488.tif 000007
【図４】
2013545488.tif 000008
【図５】
2013545488.tif 000009
【国際調査報告】
2013545488.tif 000010
2013545488.tif 000011
2013545488.tif 000012